(57)【要約】      （修正有）【課題】メラミン樹脂発泡体スポンジに液体歯磨き剤などを含有させ、その液体歯磨き剤が使用時まで、メラミン樹脂発泡体スポンジに保持される、メラミン樹脂発泡体スポンジを有する歯ブラシを提供する。【解決手段】メラミン樹脂発泡体スポンジ１ａは液体歯磨き剤を含有したものであって、このメラミン発泡体スポンジを有する歯ブラシは包装容器６中に密封包装される。よって、その液体歯磨き剤が使用時まで、メラミン樹脂発泡体スポンジに保持される。また、使い切りタイプであるため、使い勝手がよく、衛生的で、持ち運びが容易となる。【選択図】図５
0003170648.tif 000002
【実用新案登録請求の範囲】
【請求項１】
メラミン樹脂発泡体スポンジを有する歯ブラシであって，
前記メラミン樹脂発泡体スポンジは液体歯磨き剤を含み，
前記メラミン樹脂発泡体スポンジは包装容器に密封包装される，
歯ブラシ。
【請求項２】
前記歯ブラシは，
清浄部と支持部を含み，
前記清浄部は，前記メラミン樹脂発泡体スポンジを含み，
前記支持部は，把持部を有し，
前記清浄部と前記支持部の第１の端部とが連結している，
請求項１に記載の歯ブラシ。
【請求項３】
前記支持部は，前記第１の端部の反対端に設けられる第２の端部を有し，
前記支持部の第２の端部は，糸張部とデンタルフロスを有し，
前記糸張部には，前記デンタルフロスが張設される，
請求項２に記載の歯ブラシ。
【請求項４】
前記液体歯磨き剤は，ポリリン酸塩を含有する，請求項１に記載の歯ブラシ。
【請求項５】
前記液体歯磨き剤は，ポリエチレングリコールを含有する，請求項１に記載の歯ブラシ。
【請求項６】
前記液体歯磨き剤は，香味料を含有する，請求項１に記載の歯ブラシ。
【請求項７】
前記液体歯磨き剤は，フッ素化合物を含有する，請求項１に記載の歯ブラシ。
【請求項８】
前記歯ブラシは，０．２ａｔｍ以上１ａｔｍ以下の条件下で前記包装容器に密封された，請求項１に記載の歯ブラシ。
【考案の詳細な説明】
【技術分野】
【０００１】
本考案は，包装容器に収容されたメラミン樹脂発泡体スポンジを有する歯ブラシに関するものである。
【背景技術】
【０００２】
口腔清浄具として一般的に用いられているものには，歯ブラシと歯磨き剤がある。しかし，通常の歯ブラシと歯磨き剤では，歯の表面に付着したタバコのヤニやコーヒー，紅茶，緑茶といった食品の着色付着物を除去することは困難である。
【０００３】
そこで，歯の表面に付着したタバコのヤニやコーヒー，紅茶，緑茶といった食品の着色付着物を除去するために，メラミン樹脂発泡体スポンジを使用した歯表面清浄商品が特許文献に紹介されている。特開２００７−９７７１４号公報（特許文献１）では，メラミン樹脂発泡体スポンジを清浄部としてもつ歯磨き具が開示されている。また，特開２００７−８２７７７号公報（特許文献２）では，メラミンのブロック状樹脂と柄部材から成る歯磨き具が開示されている。ここでは，メラミンのブロック状樹脂は柄部材からの着脱が可能となっている。
【０００４】
しかし，メラミン樹脂発泡体スポンジは，摩耗しやすいため，口腔内を清浄している際に，メラミン樹脂発泡体スポンジが崩れてくるという問題点があった。そのため，メラミン樹脂発泡体スポンジは，繰り返しの使用には適しておらず，頻繁に新品と交換する必要がある。
【０００５】
また，従来のメラミン樹脂発泡体スポンジを清浄部としてもつ歯磨き具には，あらかじめ，液体の歯磨き剤が含浸されているものは無く，使用時にはスポンジ部分に水分または液体の歯磨き剤を別途用意した上で使用する必要があった。そのため，外出先などで手軽に使用できないという問題点があった。
【０００６】
さらに，メラミン樹脂発泡体スポンジには，着色付着物を除去するだけではなく，口臭の予防や，着色物の付着を防止する機能を有することが求められている。
【先行技術文献】
【特許文献】
【０００７】
【特許文献１】特開２００７−９７７１４号公報
【特許文献２】特開２００７−８２７７７号公報
【考案の概要】
【考案が解決しようとする課題】
【０００８】
本考案では，歯の表面の着色付着物を効率的に除去できる液体歯磨き剤を含浸したメラミン樹脂発泡体スポンジを有する歯ブラシを提供することを目的とする。
【０００９】
本考案では，口臭防止効果があり，口腔内に香味を付与できる液体歯磨き剤を含浸したメラミン樹脂発泡体スポンジを有する歯ブラシを提供することを目的とする。
【００１０】
本考案では，歯の表面をフッ素コーティングすることができる液体歯磨き剤を含浸したメラミン樹脂発泡体スポンジを有する歯ブラシを提供することを目的とする。
【課題を解決するための手段】
【００１１】
本考案者らは，上記課題を解決するため鋭意検討を重ねた結果，包装容器に収容された液体歯磨き剤を含浸したメラミン樹脂発泡体スポンジを有する歯ブラシを製造することができ，本考案を完成するに至った。
【００１２】
本考案の第１の側面は，液体歯磨き剤を含浸したメラミン樹脂発泡体スポンジを有する歯ブラシに関するものである。液体歯磨き剤を含浸したメラミン樹脂発泡体スポンジを有する歯ブラシは，包装容器に密封包装されている。そのため，本考案の歯ブラシは，口腔内洗浄の際に，メラミン樹脂発泡体スポンジに水分や歯磨き剤を添加することなく使用することができる。本考案に係る歯ブラシは，液体を含浸しているため，着色付着物を効率的に除去でき，口腔防止効果を有し，かつ，歯をフッ素コーティングする機能を持つ。本考案の歯ブラシは，包装容器に密封包装されているため，使用時まで液体が蒸散することがない。さらに，本考案の歯ブラシは，包装容器に密封包装されているため，衛生的であり，持ち運びが容易である。
【００１３】
本考案の好ましい態様は，メラミン樹脂発泡体スポンジを有する歯ブラシは，清浄部と支持部を含むものである。ここでは，清浄部はメラミン樹脂発泡体スポンジを含むものである。また，支持部は把持部を有し，清浄部と支持部の第１の端部とは連結している。清浄部と支持部を有することで，本考案に係る歯ブラシは，使い勝手が向上する。
【００１４】
本考案の好ましい態様は，支持部の第２の端部が糸張部とデンタルフロスを有するものである。ここでは，糸張部には，デンタルフロスが張設される。また，支持部の第２の端部は，第１の端部の反対端に設けられるものである。デンタルフロスが張設されることで，本考案に係る歯ブラシは，歯間の清浄をする機能をさらに有する。
【００１５】
本考案の好ましい態様は，液体歯磨き剤が，ポリリン酸塩を含有するものである。液体歯磨き剤が，ポリリン酸塩を含有することで，本考案に係る歯ブラシは，着色物質を除去しやすくするとともに新たな着色物質の付着を防ぎ，また歯茎の血行を促進させる機能を有する。
【００１６】
本考案の好ましい態様は，液体歯磨き剤が，ポリエチレングリコールを含有するものである。液体歯磨き剤が，ポリエチレングリコールを含有することで，本考案に係る歯ブラシは歯の表面の付着物質を除去する機能を有する。
【００１７】
本考案の好ましい態様は，液体歯磨き剤が，香料を含有するものである。液体歯磨き剤が，香料を含有することで，本考案に係る歯ブラシは口臭防止効果があり，口腔内に香味を付与できる機能を有する。
【００１８】
本考案の好ましい態様は，液体歯磨き剤が，フッ化ナトリウムを含有するものである。液体歯磨き剤が，フッ化ナトリウムを含有することで，本考案に係る歯ブラシは歯の表面をフッ素コーティングすることができる機能を有する。
【００１９】
本考案の好ましい態様は，メラミン樹脂発泡体スポンジを有する歯ブラシは，０．２ａｔｍ以上１ａｔｍ以下の条件下で包装容器に密封されたものである。０．２ａｔｍ以上１ａｔｍ以下の条件下で密封包装することで，包装容器内の空気残量を少なくし，また含有成分の酸化による影響を小さくすることができる。
【考案の効果】
【００２０】
本考案によれば，歯の表面の着色付着物を効率的に除去できる液体歯磨き剤を含浸したメラミン樹脂発泡体スポンジを有する歯ブラシを提供することができる。本考案の歯ブラシは，包装容器に密封包装されているため，使用時まで液体が蒸散することがない。さらに，本考案の歯ブラシは，包装容器に密封包装されているため，衛生的であり，持ち運びが容易である。
【００２１】
本考案によれば，口臭防止効果があり，口腔内に香味を付与できる液体歯磨き剤を含浸したメラミン樹脂発泡体スポンジを有する歯ブラシを提供することを目的とするができる。
【００２２】
本考案では，歯の表面をフッ素コーティングすることができる液体歯磨き剤を含浸したメラミン樹脂発泡体スポンジを有する歯ブラシを提供することができる。
【図面の簡単な説明】
【００２３】
【図１】図１は，メラミン樹脂発泡体スポンジの形状を示す図である。
【図２】図２は，メラミン樹脂発泡体スポンジに液体歯磨き剤を含浸する工程を示す図である。
【図３】図３は，支持部の第１の端部にメラミン樹脂発泡体スポンジを結着させ，ラミン樹脂発泡体スポンジに液体歯磨き剤を含浸させた歯ブラシを示す図である。
【図４】図４は，支持部の第１の端部に液体歯磨き剤を含浸させたメラミン樹脂発泡体スポンジを結着させ，第２の端部に糸張部とデンタルフロスを有する歯ブラシを示す図である。
【図５】図５は，液体歯磨き剤を含浸したメラミン樹脂発泡体スポンジを有する歯ブラシを個別包装した形状を示すイメージ図である。
【考案を実施するための形態】
【００２４】
本考案は，包装容器に収容されたメラミン樹脂発泡体スポンジを有する歯ブラシに関するものである。本考案の歯ブラシは，液体歯磨き剤を含浸したメラミン樹脂発泡体スポンジを有する歯ブラシであり，歯ブラシは包装容器に密封包装されている。
【００２５】
メラミン樹脂発泡体スポンジは，無数の連続気孔を有することにより，水分または液体歯磨き剤を含浸することができる。また，メラミン樹脂発泡体スポンジは，材質特性により，歯の表面に付着した着色物質などを，効率良く除去することができる。メラミン樹脂発泡体スポンジは柔軟であるため，歯や歯茎が傷つけることなく，口腔洗浄をすることができる。しかし，メラミン樹脂発泡体スポンジは，摩耗しやすいため，口腔内を清浄している際に，メラミン樹脂発泡体スポンジが崩れてくるという問題点があった。
【００２６】
メラミン樹脂発泡体スポンジは，水分を含浸させることにより，清浄効果を高めることができる。また，メラミン樹脂発泡体スポンジは，水分を含浸させることにより，摩擦抵抗が減少するため，摩耗しにくくなる。
【００２７】
また，メラミン樹脂発泡体スポンジの製造の際に，スポンジの密度を上昇させることができる。スポンジの密度を上昇させるためには，メラミン樹脂発泡体スポンジを加圧し，同時に加熱をすることで気泡と気泡を隔離する構成壁を押し潰す。このようにして得られたメラミン樹脂発泡体スポンジは，加圧及び加熱をしなかったメラミンスポンジに比べて，１．５倍から１５倍，密度が高い。密度が高いメラミン樹脂発泡体スポンジは，摩耗しにくく，口腔洗浄に，より適している。
【００２８】
液体歯磨き剤に添加される有効成分は，口腔清浄，口臭予防，歯石沈着の防止，歯周炎・歯肉炎の防止，虫歯予防に効果的に働く。その他にも，清涼剤，香料を液体歯磨き剤に添加することで，使用時の爽快感を高めることができる。以下に具体的物質をあげるが，有効成分はこれらに限定されるものではない。
【００２９】
液体歯磨き剤に添加される有効成分として，縮合リン酸塩，洗浄剤，漂白剤，抗炎症剤，抗菌剤，界面活性剤，フッ素化合物があげられ，これらのうち一種以上，好ましくは二種以上，より好ましくは全成分が用いられる。縮合リン酸塩には，ポリリン酸塩，ウルトラリン酸塩，メタリン酸塩，ピロリン酸塩があげられる。洗浄剤には，ポリエチレングリコール，ポロビニルピロリドン，フィチン酸，リン酸水素ナトリウム，リン酸ナトリウム，ゼオライトがあげられる。漂白剤には，過酸化水素，過酸化尿素，過酸化カルシウム，亜塩素酸ナトリウムがあげられる。抗炎症剤には，アラントイン，ε−アミノカプロン酸，グリチルリチン酸ジカリウム，β−グリチルレチン酸，アスコルビン酸，ビタミンＥ，アズレンスルホン酸ナトリウムがあげられる。抗菌剤には，イソプロピルメチルフェノール，塩酸クロルヘキシジン，トリクロサン，ヒノキチオール，塩化セチルピリジニウム，銅クロロフィリンナトリウム，塩化ベンザルコニウム，塩化デカリウム，塩化ベンゼトニウム，塩酸アルキルジアミノエチルグリシン，塩酸ピリドキシン，塩化リゾチーム，カテキンがあげられる。界面活性剤には，ポリオキシエチレンラウリルエーテル，ラウロイルサルコシンナトリウムがあげられる。フッ素化合物には，フッ化ナトリウム，モノフルオロリン酸ナトリウム，フッ化第二スズがあげられる。
【００３０】
さらに，液体歯磨き剤は，増粘剤，溶剤，香料，及び甘味料を含むことができる。増粘剤には，カルボキシメチルセルロースナトリウムがあげられる。溶剤には，エタノール及びポリオキシエチレン硬化ヒマシ油があげられる。香料には，ペパーミントの香料があげられる。甘味料には，虫歯予防効果もあるキシリトール及びサッカリンナトリウムがあげられる。
【００３１】
上記した有効成分を適宜含む液体歯磨き剤を，メラミン樹脂発泡体スポンジに含浸させる。具体的には，液体歯磨き剤を容器に入れ，そこにメラミン樹脂発泡体スポンジを浸漬する。浸漬時間は，例えば，１分以上２時間以下であれば良く，５分以上１時間以下であれば更に良い。また含浸処理温度は５℃以上４０℃以下であれば良く，１５℃以上３０℃以下であれば更に良い。
【００３２】
メラミン樹脂発泡体スポンジは，液体歯磨き剤を含浸させる工程の前か，もしくは後に，ブロック状に切り分けてもよい。例えば，メラミン樹脂発泡体スポンジは，長軸４ｃｍ，短軸１ｃｍ，厚さ０．５ｃｍの大きさの長方体に切り分けることができる。メラミン樹脂発泡体スポンジの大きさは，口腔清浄に適した大きさであれば良い。メラミン樹脂発泡体スポンジの大きさや形は上記に示したものに限定されない。
【００３３】
液体歯磨き剤を含浸したメラミン樹脂発泡体スポンジは，１つまたは１つ以上，包装容器に入れられ，密封包装される。包装容器には，メラミン樹脂発泡体スポンジを有する歯ブラシの他に，液体歯磨き剤を更に添加し，密封をすることもできる。密封には，ヒートシールによる密封方法が用いられる。
【００３４】
密封包装をした包装容器入りメラミン樹脂発泡体スポンジ歯ブラシは，必要であれば，殺菌工程により殺菌される。殺菌工程を経ることにより，液体歯磨き剤中の細菌の増殖を防ぐことができる。また，殺菌工程により，メラミン樹脂発泡体スポンジを加圧・加熱することができ，密度が高いメラミン樹脂発泡体スポンジを得ることができる。
【００３５】
本考案の好ましい態様は，メラミン樹脂発泡体スポンジを有する歯ブラシは，清浄部と支持部を含むものである。ここでは，清浄部はメラミン樹脂発泡体スポンジを含むものである。また，支持部は把持部を有し，清浄部と支持部の第１の端部とは連結している。
【００３６】
メラミン樹脂発泡体スポンジ歯ブラシは，支持部を有さないメラミン樹脂発泡体スポンジのみからなるものでも良い。また，メラミン樹脂発泡体スポンジ歯ブラシは，支持部とメラミン樹脂発泡体スポンジを含む清浄部とが一体となり連結したものでも良い。
【００３７】
ここでは，支持部は，スティック状などの軸体であることが好ましい。把持部は，歯ブラシを使用する際に持ち手部分になる部のことである。第１の端部とは，支持体の一端にあり，歯ブラシの持ち手部分とは反対側の端部である。清浄部は，支持体の第１の端部に，メラミン樹脂発泡体スポンジが結着した部分をいう。メラミン発泡体スポンジは，接着剤で第１の端部に接着させても良いし，熱溶着させても良い。なお，密封包装後に殺菌工程が含まれる場合は，支持部は耐熱性のある素材であることが好ましい。
【００３８】
本考案の好ましい態様は，支持部の第２の端部が糸張部とデンタルフロスを有するものである。ここでは，糸張部には，デンタルフロスが張設される。また，支持部の第２の端部とは，第１の端部の反対側の端部に設けられるものである。
【００３９】
支持体の第１の端部にはメラミン樹脂発泡体スポンジを連結させ，支持部の第２の端部は糸張部とデンタルフロスを含むことができる。ここでは，第２の端部は，メラミン樹脂発泡体スポンジが連結している端と反対側の端部に設けられる。糸張部は，支持部の第２の端部が二股状の構造をしたものでも良い。また，糸張部は，支持部の第２の端部の中央部分が欠落し，２つの凸部を持つ構造でも良い。
【００４０】
糸張部の先端部間に，デンタルフロスを張設することができる。デンタルフロスは，ナイロンやポリエステルといった繊維を数十本から数百本合わせて作られる細い糸である。デンタルフロスは簡単に抜けたり、緩んだりすることがないよう張設されることが好ましい。
【００４１】
本考案の歯ブラシを使用する際には，メラミン樹脂発泡体スポンジを用いることで歯の表面の付着物質を除去でき，デンタルフロスを用いることで歯間にある物質を除去することができる。１つの歯ブラシで，２パターンの口腔清浄が可能となる。
【００４２】
本考案の好ましい態様は，液体歯磨き剤が，ポリリン酸塩を含有するものである。ポリリン酸が添加された液体歯磨き剤で口腔清浄することで，歯面の着色物質を除去しやすくするとともに新たな着色物質の付着を防ぎ，また歯茎の血行を促進させる。液体歯磨き剤を１００重量部とした場合，ポリリン酸の添加量は，０．１重量部以上２０重量部以下であれば良く，０．５重量部から５重量部であれば更に良い。
【００４３】
本考案の好ましい態様は，液体歯磨き剤が，ポリエチレングリコールを含有するものである。ポリエチレングリコールが添加された液体歯磨き剤で口腔清浄することで，歯の表面の付着物質を除去しやすくなる。液体歯磨き剤を１００重量部とした場合，ポリエチレングリコールの添加量は，０．５重量部以上２０重量部以下であれば良く，１重量部から１０重量部であれば更に良い。
【００４４】
本考案の好ましい態様は，液体歯磨き剤が，香味料を含有するものである。液体歯磨き剤が，香味料を含有することで，本考案に係る歯ブラシは口臭防止効果があり，口腔内に香味を付与できる機能を有する。液体歯磨き剤を１００重量部とした場合，香味料の添加量は，０．０１重量部以上５重量部以下であれば良く，０．１重量部から１重量部であれば更に良い。
【００４５】
本考案の好ましい態様は，液体歯磨き剤が，フッ素化合物を含有するものである。フッ素化合物には，フッ化ナトリウム，モノフルオロリン酸ナトリウムが挙げられる。液体歯磨き剤が，フッ素化合物を含有することで，本考案に係る歯ブラシは歯の表面をフッ素コーティングすることができる機能を有する。液体歯磨き剤を１００重量部とした場合，フッ素化合物の添加量は，フッ素イオン濃度として０．０１重量部以上５重量部以下であれば良く，０．１重量部から１重量部であれば更に良い。
【００４６】
本考案の好ましい態様は，メラミン樹脂発泡体スポンジを有する歯ブラシは，０．２ａｔｍ以上１ａｔｍ以下の条件下で包装容器に密封されたものである。液体歯磨き剤を含浸したメラミン樹脂発泡体スポンジを包装容器に入れ，０．２ａｔｍ以上１ａｔｍ以下の条件下で，密封包装することで，包装容器内の空気残量を少なくすることができる。空気残量を少なくすることで，容器内のメラミン樹脂発泡体スポンジの劣化を防止することができる。
【００４７】
包装容器は，密封が可能であり，かつ安価であるプラスチック樹脂であるものが好ましい。さらに，密封包装後に殺菌工程がある場合は，包装容器は耐熱性であることが好ましい。
【００４８】
尚，メラミン樹脂発泡スポンジに含浸させた液体歯みがき剤は，その後減圧乾燥法や凍結乾燥法などの方法により脱水させた状態で用いることもできる。乾燥させる工程を加えた場合でも，本考案で示す歯ブラシとしての機能は損なわれない。
【実施例１】
【００４９】
図１に示すように，メラミン樹脂発泡体スポンジを，長軸４ｃｍ，短軸１ｃｍ，厚さ０．５ｃｍの大きさの長方体に切り分けた。メラミン樹脂発泡体スポンジの大きさは，口腔清浄に適した大きさであれば良く，大きさや形は上記に示したものに限定されない。
【００５０】
図２に示すように，メラミン樹脂発泡性スポンジを歯磨き剤の中に１０分間，浸漬した。歯磨き剤にはポリリン酸，ポリエチレングリコール（ＰＥＧ），香味料，フッ素化合物及び保存料を添加した。液体歯磨き剤を１００重量部とした場合，ポリリン酸は１重量部，ＰＥＧは２重量部，フッ素化合物としてフッ化ナトリウムを０．１重量部，保存料は０．１重量部となるように添加した。香味料には，佐々木香料株式会社製の各種の香味料を各々使用した。具体的には，ペパーミントＣＭ−２５（ペパーミント香料，０．２重量部），ピーチフレーバーＳＡ−１０５９  Ｃ４４（ピーチミント香料，０．１重量部）及びクールグレープフルーツフレーバーＣ１２（グレープフルーツミント香料，０．２重量部）を各々液体歯磨き剤に添加した。
【００５１】
図５に示すように，歯磨き剤を含浸したメラミン発泡性スポンジを，プラスチック製のフィルムに入れ，ヒートシールすることで密封した。
【００５２】
実施例１で得た歯磨き剤を含浸したメラミン発泡性スポンジを歯ブラシとして使用し，使用の前後で歯の白さを測定した。歯の白さの測定には，シェードアップナビ（株式会社松風製）を用いた。歯の白さの程度は，０．５から９までの数値範囲で示され，数値が小さい程，歯の色が白いことを示す。測定結果を表１に示す。測定結果より，実施例１で得た歯磨き剤を含浸したメラミン発泡性スポンジで歯磨きをした場合には，効果的に着色付着物を除去できることがわかった。さらに，フッ素コーティングをすることによって，歯に汚れが付着しにくくなり，歯の白さが保たれることもわかった。
【００５３】
【表１】
0003170648.tif 000003
【００５４】
実施例１で得た歯磨き剤を含浸したメラミン発泡性スポンジを歯ブラシとして使用し，使用の前後で口腔内の香味について評価した。ペパーミント香料，ピーチミント香料，グレープフルーツ香料を含浸したメラミン発泡性スポンジを歯ブラシとして使用したところ，使用後の口腔内には各々の香味が残った。
【産業上の利用可能性】
【００５５】
本考案は，衛生消耗品の分野，特に，歯ブラシの分野において利用される。
【符号の説明】
【００５６】
１    メラミン樹脂発泡体スポンジ
１ａ  液体歯磨き剤を含有するメラミン樹脂発泡体スポンジ
２    液体歯磨き剤
３    液体容器
４    支持部
５    糸張部
６    包装容器
【図１】
0003170648.tif 000004
【図２】
0003170648.tif 000005
【図３】
0003170648.tif 000006
【図４】
0003170648.tif 000007
【図５】
0003170648.tif 000008